(57)【要約】【課題】本開示は、顔の両脇から下垂する２枚の布を用いて顔の周囲にフィットさせる作業用フードにおいて、顔にフィットさせつつ簡単に前記２枚の布を固定可能にすることを目的とする。【解決手段】本開示の作業用フード１は、着用者の頭部を覆いつつ、顔の少なくとも一部を露出させる開口部を形成可能な作業用フード１であって、上部帯体１３１、第１の下垂帯体１３２及び第２の下垂帯体１３３を備え、第１の下垂帯体１３２の着用者の顔側の面に対向する面でありかつ第１の下垂帯体１３２の長手方向の先端に第１の留め具４２が配置され、第２の下垂帯体１３３の着用者の顔側の面でありかつ第２の下垂帯体１３３の長手方向のうちの着用者の目から口までの間の位置に第２の留め具４３が配置され、第１の留め具４２と第２の留め具４３が着脱可能に係止される。【選択図】図３
2020133054.tif 000002
【特許請求の範囲】
【請求項１】
着用者の頭部を覆いつつ、顔の少なくとも一部を露出させる開口部を形成可能な作業用フードであって、
着用者の顔の両脇から下垂する第１及び第２の下垂帯体と、
前記第１及び第２の下垂帯体に接続され、着用者の額を覆う上部帯体と、
前記第１の下垂帯体の着用者の顔側の面に対向する面でありかつ前記第１の下垂帯体の長手方向の先端に配置される、第１の留め具と、
前記第２の下垂帯体の着用者の顔側の面でありかつ前記第２の下垂帯体の長手方向のうちの着用者の目から口までの間の位置に配置されている、前記第１の留め具と着脱可能に係止される、第２の留め具と、
を備える作業用フード。
【請求項２】
前記第１の下垂帯体の着用者の顔側の面に対向する面でありかつ前記第１の下垂帯体の長手方向のうちの着用者の目から口までの間の位置に配置される、第３の留め具と、
前記第２の下垂帯体の顔側の面でありかつ前記第２の下垂帯体の長手方向の先端に配置されている、前記第３の留め具と着脱可能に係止される、第４の留め具と、
をさらに備える、
請求項１に記載の作業用フード。
【請求項３】
前記第１及び第２の下垂帯体は、長手方向に伸縮するニット素材で形成されている、
請求項１又は２に記載の作業用フード。
【請求項４】
前記第１の留め具及び前記第２の留め具は、布テープ上に埋め込まれたスナップボタンであり、
前記第１の下垂帯体及び前記第２の下垂帯体の色と前記布テープの色が異なる、
請求項１から３のいずれかに記載の作業用フード。
【発明の詳細な説明】
【技術分野】
【０００１】
本開示は、作業用フードに関する。
【背景技術】
【０００２】
半導体製造作業、医薬品製造作業及び食品製造作業といった清潔さを要求される作業にあっては、頭髪などの異物の製品への混入を防止するため、頭部を完全に覆う作業用フードが使用されている（例えば、特許文献１参照。）。特許文献１の作業用フードは、顔の両脇から下垂する２枚の布を、面ファスナーやテープ生地と一体になったスナップボタンなどの留め具を用いて固定することによって、作業用フードを顔にフィットさせつつ顔を露出させる構成となっている。
【０００３】
顔の両脇から下垂する２枚の布を固定する際、２枚の布にそれぞれ備わる留め具を重ね合わせる必要がある（例えば、非特許文献１参照。）。このとき、顔の両脇から下垂する２枚の布をそれぞれ手に持ち、留め具を重ね合わせ、フードの外側から留め具押し付けることにより留めていた。
【０００４】
作業用フードの着用の際は、顔の周囲から髪が出ないよう、顔の両脇から下垂する２枚の布をあごや首の付近で固定する。あごや首の付近は直接目視することができないため、両手の指先の感覚を頼りに手探りで留め具を重ね合わせることになる。このため、作業用フードの着用に手間取る場合があった。
【先行技術文献】
【特許文献】
【０００５】
【特許文献１】特開２０１０−１０６３８０号公報
【非特許文献】
【０００６】
【非特許文献１】国立（株）、ＳＤ５０００ズキン着用方法、ｈｔｔｐｓ：／／ｗｗｗ．ｋｕｎｉｔａｃｈｉ−ｋｋ．ｃｏ．ｊｐ／ｈｏｗｔｏｕｓｅ／ｗｅａｒ．ｈｔｍｌ＃ｌｉｎｅｕｐ
【発明の概要】
【発明が解決しようとする課題】
【０００７】
本開示は、顔の両脇から下垂する２枚の布を用いて顔の周囲にフィットさせる作業用フードにおいて、顔にフィットさせつつ簡単に前記２枚の布を固定可能にすることを目的とする。
【課題を解決するための手段】
【０００８】
上記目的を達成するために、本開示の作業用フードは、
着用者の頭部を覆いつつ、顔の少なくとも一部を露出させる開口部を形成可能な作業用フードであって、
着用者の顔の両脇から下垂する第１及び第２の下垂帯体と、
前記第１及び第２の下垂帯体に接続され、着用者の額を覆う上部帯体と、
前記第１の下垂帯体の着用者の顔側の面に対向する面でありかつ前記第１の下垂帯体の長手方向の先端に配置される、第１の留め具と、
前記第２の下垂帯体の着用者の顔側の面でありかつ前記第２の下垂帯体の長手方向のうちの着用者の目から口までの間の位置に配置されている、前記第１の留め具と着脱可能に係止される、第２の留め具と、
を備える。
【発明の効果】
【０００９】
本開示によれば、顔の両脇から下垂する２枚の布を用いて顔の周囲にフィットさせる作業用フードにおいて、顔にフィットさせつつ簡単に前記２枚の布を固定可能にすることができる。これにより、本開示の作業用フードは、着脱が容易になるため、繰り返しの装着についても容易に行うことができる。
【図面の簡単な説明】
【００１０】
【図１】実施形態に係る作業用フードの第１例を示す。
【図２】実施形態に係る作業用フードの第２例を示す。
【図３】実施形態に係る作業用フードの第１例の着用前の状態を示す正面図である。
【図４】実施形態に係る作業用フードの第１例の着用時の状態を示す正面図である。
【図５】実施形態に係る作業用フードの第１例の着用時の第１の下垂帯体及び第２の下垂帯体の状態の一例である。
【図６】実施形態に係る作業用フードの第３例を示す。
【図７】実施形態に係る作業用フードの第４例を示す。
【図８】ニット構造の一例を示す模式図である。
【図９】補助布部の構成の一例を示す。
【発明を実施するための形態】
【００１１】
以下、本開示の実施形態について、図面を参照しながら詳細に説明する。なお、本開示は、以下に示す実施形態に限定されるものではない。これらの実施の例は例示に過ぎず、本開示は当業者の知識に基づいて種々の変更、改良を施した形態で実施することができる。なお、本明細書及び図面において符号が同じ構成要素は、相互に同一のものを示すものとする。
【００１２】
図１及び図２に、実施形態に係る作業用フードの構成の第１例及び第２例を示す。実施形態に係る作業用フード１は、環状ベルト布１２、頭頂部押え布１４、フード布部１５、上部帯体１３１、第１の下垂帯体１３２及び第２の下垂帯体１３３を備える。上部帯体１３１は、着用者の額部を覆い、方向３２ａに伸縮する。第１の下垂帯体１３２は、上部帯体１３１と接続され、着用者の額部から顎部に向かって伸びている。第２の下垂帯体１３３は、上部帯体１３１と接続され、着用者の額部から顎部に向かって伸びている。
【００１３】
上部帯体１３１と第１の下垂帯体１３２の接合部における上部帯体１３１と第１の下垂帯体１３２のなす角θは、略９０°であり、７０〜９０°程度であることが好ましい。上部帯体１３１と第２の下垂帯体１３３の接合部における上部帯体１３１と第２の下垂帯体１３３のなす角も同様である。このように、上部帯体１３１、第１の下垂帯体１３２及び第２の下垂帯体１３３を配置することで、着用者の広い視野を確保すると共に、第１の下垂帯体１３２及び第２の下垂帯体１３３を着用者の顔にフィットさせることができる。
【００１４】
図１に示す第１例は、第１の下垂帯体１３２には留め具４１及び４２が配置され、第２の下垂帯体１３３に留め具４３及び４４が配置されている。図２に示す第２例は、第１の下垂帯体１３２には留め具４１が配置され、第２の下垂帯体１３３に留め具４４が配置されている。留め具４２は、第１の下垂帯体１３２の先端に配置されている。留め具４４は、第２の下垂帯体１３３の先端に配置されている。
【００１５】
図３に、作業用フードの第１例における着用前の状態の一例を示す。留め具４１及び４２は第１の下垂帯体１３２の顔側に対向する側（以下、外側と称する。）に配置され、留め具４３及び４４は第１の下垂帯体１３２の顔側（以下、内側と称する。）に配置されている。留め具４１及び４２の間隔と留め具４３及び４４の間隔は略等しい。
【００１６】
留め具４２及び４３は、留め具４２及び４３を着脱可能に係止される任意の部品であり、面ファスナー及びボタンを含む。例えば、布テープ上に埋め込まれたスナップボタンであることが好ましい。この場合、布テープとスナップボタンの色は異なることが好ましい。さらに、第１の下垂帯体１３２及び第２の下垂帯体１３３の色と布テープの色とが異なることが好ましい。例えば、第１の下垂帯体１３２及び第２の下垂帯体１３３の色が白色の場合、布テープの色を青とし、スナップボタンの色を青とする。色は白及び青に限らず、任意の色とすることができる。留め具４４及び４１についても同様である。
【００１７】
図４に、作業用フードの第１例における着用時の状態の一例を示す。留め具４２と留め具４３が係止され、留め具４４と留め具４１が係止されている。留め具４１及び４２は第１の下垂帯体１３２の外側に配置され、留め具４３及び４４は第１の下垂帯体１３２の内側に配置されているため、第１の下垂帯体１３２及び第２の下垂帯体１３３が捻じれなく重ね合わされ、開口部１１が形成されている。
【００１８】
作業用フードの構成の第１例では、図４に示すように、第１の下垂帯体１３２及び第２の下垂帯体１３３が重なり合っている。またこの状態では、第１の下垂帯体１３２の上部帯体１３１との接続部分、第２の下垂帯体１３３の上部帯体１３１との接続部分に、それぞれ同程度のテンションがかかる。このため、本開示に係る作業用フード１は、第１の下垂帯体１３２及び第２の下垂帯体１３３がしっかりと顔に密着され、毛髪落下防止効果が格段に増加し、さらに違和感なく装着し続けることができる。
【００１９】
留め具４１及び４３が下顎付近に配置されている場合、留め具の「段差やズレ」が生じる可能性がある。そこで、本開示では、顔の左右に留め具が配置されている。具体的には、留め具４１は、第１の下垂帯体１３２の長手方向のうち、着用者の目の下から口の下までの間に位置するように配置されている。また留め具４３は、第２の下垂帯体１３３の長手方向のうち、着用者の目の下から口の下までの間に位置するように配置されている。このように、顔の左右に留め具が配置されていることにより、個人差も少なく、第１の下垂帯体１３２及び第２の下垂帯体１３３を隙間なく顔の周りにフィットさせることができる。そのことにより、毛髪の落下防止効果が極めて高くなる。さらに、装着後の生地の段差もほとんど感じないため、長時間着用していても、着用者への負担が少ない。また、顔の左右に留め具が配置されていることで、高さ的にも留めやすい。
【００２０】
また、本実施形態に係る作業用フード１は、上部帯体１３１、第１の下垂帯体１３２及び第２の下垂帯体１３３が開口部１１の周方向３２に伸縮することが好ましい。これにより、作業用フード１を顔の周囲にフィットさせることができる。
【００２１】
ここで、留め具４３は留め具４２に比べてフード布部１５側に配置されることが好ましい。これにより、図５に示すように、第１の下垂帯体１３２の先端が第２の下垂帯体１３３の外縁部１３３Ｅよりも内側に配置されるため、あご下の重なり部分が動くことを抑制し、第１の下垂帯体１３２を着用者の顎にフィットさせることができる。第１の下垂帯体１３２の先端と外縁部１３３Ｅの差Δ４２は任意であり、Δ４２がわずかであっても、この効果は得られる。
【００２２】
また、留め具４１は留め具４４に比べてフード布部１５側に配置されることが好ましい。これにより、図５に示すように、第２の下垂帯体１３３の先端が第１の下垂帯体１３２の外縁部１３２Ｅよりも内側に配置されることで、あご下の重なり部分が動くことを抑制し、第３の下垂帯体１３３を着用者の顎にフィットさせることができる。第２の下垂帯体１３３の先端と外縁部１３２Ｅの差Δ４４は任意であり、Δ４４がわずかであっても、この効果は得られる。
【００２３】
作業用フードの着用方法を説明する。着用者は、右手の親指と人差し指又は中指で顔の右側に垂れている第１の下垂帯体１３２の先端の留め具４２をつまみ、第２の下垂帯体１３３の先端を顔の左頬の辺りに配置されている留め具４３の位置まで移動させ、右手の親指と人差し指又は中指で留め具４２と留め具４３を重ね合わせ、留め具４２と留め具４３を係止させる。
【００２４】
次に、着用者は、右手の親指と人差し指又は中指で第２の下垂帯体１３３の先端の留め具４４をつまみ、第１の下垂帯体１３２の先端を顔の右頬の辺りに配置されている留め具４１の位置まで移動させ、右手の親指と人差し指又は中指で留め具４４と留め具４１を重ね合わせ、留め具４４と留め具４１を係止させる。このとき、留め具４４と留め具４１を重ね合わせる際の動作は、留め具４２と留め具４３が既に係止されているため、非常に容易である。
【００２５】
このように、作業用フードの構成の第１例及び第２例は、片手でも親指と人差し指又は中指で容易にはさんで留めることができる。左右両方で留めることによって、かぶりタイプのインナーと同等の効果が、簡単な着用方法であっても得ることができる。またかぶりタイプのような複雑な着用方法が必要ないため、繰り返しの着脱についても容易に行うことができる。
【００２６】
ここで、図３に示すように、第１の下垂帯体１３２及び第２の下垂帯体１３３はフード布部１５より長く、フード布部１５から突出した第１の下垂帯体１３２及び第２の下垂帯体１３３の先端に留め具４２及び４４が配置されていることが好ましい。これにより、作業用フードの着用がより容易になる。
【００２７】
作業用フードの構成の第１例及び第２例では右手を用いる例を示したが、本開示はこれに限定されない。例えば、図６及び図７に示すように、留め具４１及び４２が第１の下垂帯体１３２の内側に配置され、留め具４３及び４４は第２の下垂帯体１３３の外側に配置されていてもよい。これにより、左手だけで留め具４４と留め具４１を重ね合わせ、留め具４２と留め具４３を重ね合わせることができる。
【００２８】
環状ベルト布１２は、頭上部全体を覆うように配置され、頭上部の周方向３１に伸縮可能である。頭上部は、前頭部、側頭部、後頭部を含む。環状ベルト布１２は、頭上部の周方向３１に伸縮可能である。例えば、図８に示すような、ニット構造の横方向ＤＨが頭上部の周方向３１に配置されている。これによって、作業用フード１を着用者の頭部にフィットさせることができる。作業用フード１を装着した場合に、適度なフィット感を維持し、長い間使用しても不快感を与えることがない。環状ベルト布１２の幅は、作業用フード１のサイズにより適宜決定すればよいが、おおむね２〜８ｃｍ程度とすればよい。環状ベルト布１２は、後頭部で接合されていることが好ましい。
【００２９】
頭頂部押え布１４は、着用者の頭頂部を覆い、冠状面すなわち側頭部の方向３３に対して伸縮可能である。頭頂部押え布１４の伸縮方向が側頭部の方向３３に制限され、前頭部及び後頭部の方向に伸縮しないことによって、環状ベルト布１２を頭上部に保持することができる。そして、頭頂部押え布１４が側頭部方向３３に伸縮することによって、着用者の頭頂部に対するフィット感が増す。
【００３０】
フード布部１５は、環状ベルト布１２、第１の下垂帯体１３２及び第２の下垂帯体１３３に隣接して配置され、周方向３４に対して伸縮するニット素材で形成される。例えば、ニット構造の横方向ＤＨが周方向３４に配置されている。フード布部１５の後頭部の位置に、周方向３４に伸縮するゴムが配置されていることが好ましい。これによって、着用者の頭部に対するフィット感を高めることが可能である。
【００３１】
ニット素材は、例えば、図８に示すような、地の目の横方向ＤＨを長手方向とする横編みのニット構造の布地である。このようなニット構造は、横方向ＤＨに対する伸縮性が良好である。横編みの組織としては、特に制限はなく、例えば、図８に示す平編みのほか、リブ編み、ゴム編み、パール編み等の従来公知の組織を採用することができる。
【００３２】
ニット素材を構成する繊維は、汗等の水分を吸収するよう、親水性繊維を含むことが好ましい。親水性線維は、例えば、綿、レーヨン、親水性の高い合成繊維である。親水性の高い合成繊維は、例えば親水基を含むポリエステル素材であるソフィスタ（登録商標）である。ソフィスタ（登録商標）は、親水性が高くかつ膨潤しないため、汗や水分を吸収して素速く発散することができる。また、ニット素材を構成する繊維は、肌表面の熱が拡散するよう、エバールなどの熱伝導性の高い繊維を含むことが好ましい。
【００３３】
またニット素材の伸縮性が維持されるよう、複数のニット素材が重ねられていることが好ましい。この場合、顔の汗が効率よく吸収されるよう、親水性繊維の多く含まれている面が表面になるように重ねられていることが好ましい。
【００３４】
実施形態に係る作業用フード１は、つば部２２を備えてもよい。つば部２２は、環状ベルト布１２と上部帯体１３１の間に配置される円弧状で、長さは上部帯体１３１よりも短い。つば部２２を備えることによって、強い光や埃などから着用者の目を守る効果もある。また、つば部２２の曲率を着用者の額部の曲率に近づけることによって、つば部２２を額部に安定させ、フードが動くのを防止する効果もある。
【００３５】
実施形態に係る作業用フード１は、補助布部１２１、１２２を備えることが好ましい。図９に、着用者が作業用フード１を着用した状態を示す。補助布部１２１は、上部帯体１３１と第１の下垂帯体１３２の接合部に配置されている。補助布部１２２は、上部帯体１３１と第２の下垂帯体１３３の接合部に配置されている。
【００３６】
補助布部１２１は、上部帯体１３１と環状ベルト布１２の境界で縫い合わされ、第１の下垂帯体１３２とフード布部１５の境界で縫い合わされている。これにより、上部帯体１３１と第１の下垂帯体１３２の角度を維持し、第１の下垂帯体１３２の着用者の喉側へのずれを防ぐことができる。補助布部１２２も補助布部１２１と同様に、上部帯体１３１と環状ベルト布１２の境界で縫い合わされ、第２の下垂帯体１３３とフード布部１５の境界で縫い合わされている。
【００３７】
さらに、補助布部１２１は、結合部２１ｃにて補助布部１２１を上部帯体１３１に縫い合わされ、結合部２１ｄにて補助布部１２１を第１の下垂帯体１３２に縫い合わされていてもよい。これにより、補助布部１２１のフィット感を高めることができる。補助布部１２２についても同様である。
【００３８】
なお、補助布部１２１は、結合部２１ｃと結合部２１ｄとの間に挿通部２１ｅがあり、眼鏡４のテンプルが挿通可能になっている。眼鏡４のテンプルを挿通部２１ｅに挿通させることによって、補助布部１２１が存在していても、着用者は眼鏡を着用することが可能である。補助布部１２２についても同様である。
【産業上の利用可能性】
【００３９】
本開示の作業用フードは、例えば、半導体、食品、医薬品等の製造作業時における作業用フードに適用することができる。
【符号の説明】
【００４０】
１：作業用フード
１１：開口部
１２：環状ベルト布
１４：頭頂部押え布
１５：フード布部
２２：つば部
２３：マスク掛け部
１２１、１２２：補助布部
１３１：上部帯体
１３２：第１の下垂帯体
１３３：第２の下垂帯体
４：眼鏡
【図１】
2020133054.tif 000003
【図２】
2020133054.tif 000004
【図３】
2020133054.tif 000005
【図４】
2020133054.tif 000006
【図５】
2020133054.tif 000007
【図６】
2020133054.tif 000008
【図７】
2020133054.tif 000009
【図８】
2020133054.tif 000010
【図９】
2020133054.tif 000011